(57)【要約】      （修正有）【課題】施術者の二の腕を保護し、施術者の負担を軽減するために、被施術者の頭部を仰臥姿勢でシャンプーボウル内に配置し、洗髪を行うようにしたシャンプーボウルを提供する。【解決手段】被施術者３１の頭部をボウル凹部１２内に配置し、施術者３２がボウル凹部内に手を入れて洗髪施術を行なうようにしたシャンプーボウルに、施術者の二の腕３３を置くための腕置き部を設ける。この腕置き部が実質的にフラットな載置面２５を有することによって、施術者の痛みを緩和して負担を軽減することができる。また、腕置き部として、ボウル凹部１２の素材よりも柔らかいクッションを設けることによって、施術者の痛みを緩和して負担を軽減するようにしてもよい。【選択図】図１
0003171262.tif 000002
【実用新案登録請求の範囲】
【請求項１】
被施術者の頭部をボウル凹部内に配置し、施術者がボウル凹部内に手を入れて洗髪施術を行なうようにしたシャンプーボウルにおいて、前記施術者の二の腕を置くための腕置き部を設け、この腕置き部が実質的にフラットな載置面を有することを特徴とするシャンプーボウル。
【請求項２】
前記の実質的にフラットな載置面は、曲率半径が２０mmから無限大の実質的なフラット面であり、このフラット面の幅が２０mm以上であることを特徴とする請求項１記載のシャンプーボウル。
【請求項３】
被施術者の頸部の後ろを支持するネックレスト部をボウル凹部の前部に備え、前記ボウル凹部と一体に形成されたシャンプーボウルの縁の後部に前記載置面を備え、前記フラット面は曲率半径が２５mm以上であり、且つその幅が１００mm以下であり、被施術者の頭部を仰臥姿勢でシャンプーボウルの前方からボウル凹部内に配置し、シャンプーボウルの後方から施術者が洗髪施術を行なうようにしたことを特徴とする請求項２記載のシャンプーボウル。
【請求項４】
被施術者の頭部をボウル凹部内に配置し、施術者がボウル凹部内に手を入れて洗髪施術を行なうようにしたシャンプーボウルにおいて、前記施術者の二の腕を置くための腕置き部を設け、この腕置き部がボウル凹部の素材よりも柔らかい載置面を有することを特徴とするシャンプーボウル。
【考案の詳細な説明】
【技術分野】
【０００１】
本願発明は、被施術者の頭部をボウル凹部内に配置し、施術者がボウル凹部内に手を入れて洗髪施術を行うようにしたシャンプーボウルに関するものである。
【背景技術】
【０００２】
従来より、被施術者の頭部を仰臥姿勢でシャンプーボウルの前方からシャンプーボウル内に配置し、洗髪を行うようにしたシャンプーボウルが知られている（特許文献１、２）。この種のシャンプーボウルにあっては、図１に示すように、施術者ａが、シャンプーボウルｂの後方又は側方から、シャンプーボウルのボウル凹部内に手を入れて、被施術者ｃの頭部を洗髪する。この洗髪作業にあっては、シャンプーボウルｂの縁ｄに二の腕ｅを置いて、被施術者ｃの頭部を持ち上げたりしながら、施術を行なう場合が多い。ところが、長時間施術を行なったり、何人もの被施術者に施術をすることで、二の腕に痛みを感じたり血流が悪くなったりしてしまい、職業病の発生のおそれさえある。特に、従来のシャンプーボウルは、被施術者の不快感を減少させることに着目して設計され、施術者のことを配慮せずに設計されていたため、シャンプーボウルの側部から後部の縁ｄは、その略全周に渡って均一な厚みを有するもので、具体的には、縁ｄの厚みが１０mm程度で、曲率半径約５〜１０mmであった。そのため、上記の課題が発生してしまっていた。
【先行技術文献】
【特許文献】
【０００３】
【特許文献１】特開２００６−６１５１９号公報
【特許文献２】特開２０００３−１８０４４０号公報
【考案の概要】
【考案が解決しようとする課題】
【０００４】
本願考案の解決しようとする課題は、シャンプーボウル、特に、被施術者の頭部を仰臥姿勢でシャンプーボウル内に配置し、洗髪を行うようにしたシャンプーボウルにおいて、施術者の二の腕を保護し、施術者の負担を軽減することができるシャンプーボウルの提供を図ることにある。
【課題を解決するための手段】
【０００５】
本願考案は、被施術者の頭部をボウル凹部内に配置し、施術者がボウル凹部内に手を入れて洗髪施術を行なうようにしたシャンプーボウルにおいて、前記施術者の二の腕を置くための腕置き部を設け、この腕置き部が実質的にフラットな載置面を有することを特徴とするシャンプーボウルを提供する。
前記の実質的にフラットな載置面は、曲率半径が２０mm〜無限大の実質的なフラット面であり、このフラット面の幅が２０mm以上であるものとして実施することができる。
このシャンプーボウルは、被施術者の頸部の後ろを支持するネックレスト部をボウル凹部の前部に備え、前記ボウル凹部と一体に形成されたシャンプーボウルの縁の後部に前記載置面を備え、前記フラット面の幅が１００mm以下であり、被施術者の頭部を仰臥姿勢でシャンプーボウルの前方からボウル凹部内に配置し、シャンプーボウルの後方から施術者が洗髪施術を行なうようにしたものとして実施することができる。
また、本願考案は、被施術者の頭部をボウル凹部内に配置し、施術者がボウル凹部内に手を入れて洗髪施術を行なうようにしたシャンプーボウルにおいて、前記施術者の二の腕を置くための腕置き部を設け、この腕置き部がボウル凹部の素材よりも柔らかい載置面を有することを特徴とするシャンプーボウルを提供する。
【考案の効果】
【０００６】
本願考案は、シャンプーボウルに施術者の二の腕を置くための腕置き部を設け、この腕置き部を実質的にフラットな載置面を有するものとしたり、或いは、この腕置き部をボウル凹部の素材よりも柔らかい載置面を有するものとすることによって、施術者の二の腕の痛みや血流の悪化を緩和し、施術者の二の腕を保護し、施術者の負担を軽減することができるようにしたものである。
特に、前記の実質的にフラットな載置面は、曲率半径が２０mm〜無限大の実質的なフラット面であり、このフラット面の幅が２０mm以上であることによって、施術者の二の腕は従来のような実質的に線状の縁に支持されるものではなく、実質的に面状で載置面に接触支持されることができる。
さらに、本願考案は、被施術者の頸部の後ろを支持するネックレスト部をボウル凹部の前部に備え、前記ボウル凹部と一体に形成されたシャンプーボウルの縁の後部に前記載置面を備え、前記フラット面の幅が１００mm以下であり、被施術者の頭部を仰臥姿勢でシャンプーボウルの前方からボウル凹部内に配置し、シャンプーボウルの後方から施術者が洗髪施術を行なうようにしたシャンプーボウルとして実施することによって、被施術者を仰臥姿勢でシャンプする際の施術者の負担を軽減することができる。
【図面の簡単な説明】
【０００７】
【図１】（Ａ）及び（Ｂ）は本願考案の第１の実施の形態に係るシャンプーボウルの断面説明図。
【図２】同シャンプーボウルの斜視図。
【図３】同シャンプーボウルの平面図。
【図４】（Ａ）は図３のＡ−Ａ線断面図、（Ｂ）は図３のＢ−Ｂ線断面図。
【図５】同シャンプーボウルの使用状態の斜視図。
【図６】（Ａ）及び（Ｂ）は本願考案の第２の実施の形態に係るシャンプーボウルの断面説明図。
【図７】従来のシャンプーボウルの断面説明図。
【考案を実施するための形態】
【０００８】
以下、図面に基づき本願考案の実施の形態を説明する。
（全体の構造）この実施の形態に係るシャンプーボウル１１は、図２〜図４に示すように、全体が陶器製で、排水口１３を備えたボウル凹部１２の周囲に縁２１が設けられたものである。このシャンプーボウル１１は、図１に示すように、被施術者３１の頭部を仰臥姿勢でシャンプーボウル１１の前方からボウル凹部１２内に配置し、シャンプーボウル１１の後方から施術者３２が洗髪施術を行なうようにしたものである。縁２１のうち前部縁２２は、左右の側部縁２３や後部縁２４よりも低く窪んでおり、前部縁２２の少し後方にはネックレスト芯部１８を取り付けるための取付凸部１７が設けられている。図５に示すように、この取付凸部１７に、別体のネックレスト芯部１８を装着し、さらに、ネックレスト芯部１８に弾性を有するネックレスト１９を装着し、このネックレスト１９によって被施術者３１の頸部を後ろから支持する。シャワーヘッド１４や水栓ハンドル１６はシャンプーボウル１１に付属させる必要はないが、この例では、シャワーヘッド１４をボウル凹部１２の後方に配置し、ボウル凹部１２の側方に段部１５を形成し、この段部１５に水栓ハンドル１６を配置している。
【０００９】
（第１の実施の形態の載置面２５）この例では、シャンプーボウル１１の後方から施術者３２が洗髪施術を行なうため、後部縁２４に載置面２５が設けられている。具体的には、前部縁２２、側部縁２３は、厚みが１０mm程度で、曲率半径約５mmとされ、実質的に線状の縁となっているのに対して、後部縁２４は実質的にフラットな載置面２５を有する腕置き部となっている。この腕置き部である載置面２５に、施術者３２の二の腕３３を置くことで、洗髪施術中に、被施術者３１の頭部を持ち上げるなどの作業を行なっても、二の腕３３は載置面２５に面接触し、圧迫感が緩和される。この載置面２５は、実質的にフラット面とするもので、図１（Ａ）に示すように、凸状に湾曲させた場合でも、曲率半径が２０mm以上あることが好ましく、より好ましくは曲率半径２５mm以上の実質的にフラットな面とする。最も好ましくは、図１（Ｂ）に示すように、曲率半径が無限大の平面とする。このフラット面の幅は２０mm以上であることが好ましい。従来のように、１０mm程度の幅であれば、フラットな面となっていても、痛みを感じてしまう。他方、載置面２５の幅は１００mm以下であることが好ましい。１００mmを越えると、シャンプーボウル１１の全体の大きさを通常のシャンプーボウルと同じものとした場合にはシャンプーボウル１１の大きさが小さくなりすぎて洗髪施術が行いにくく、また、ボウル凹部１２の大きさを通常のシャンプーボウルと同じものとした場合にはシャンプーボウル１１の全体の大きさが大きくなりすぎ、限られたスペースの理容室や美容室に設置するのに邪魔になるおそれがある。
なお、載置面２５であるフラット面の前後の辺には、５mm以下の小さな曲率半径のアールを施しておくことも好ましいが、上記の幅は、上記フラット面の曲率半径の条件を満たす領域の幅とする。後部縁２４の左右に１０cm程度の範囲に渡って設ければ足りるが、この例では、載置面２５は後部縁２４の略全域に渡って形成することで、施術者３２が二の腕３３を少々動かしても載置面２５から外れないようにしている。後部縁２４から側部縁２３にかけては、平面視において、徐々にその幅を減少させて自然なデザインに仕上げているが、載置面２５のみを他の部分から突出するように形成してもよい。また、上記の曲率半径の中心は載置面２５よりも下方にあるが、曲率半径を載置面２５の上部にして載置面２５を凹部に形成することは、逆に施術者３２の二の腕３３に痛みを感じるようになり好ましくない。
【００１０】
（第２の実施の形態の載置面２５）
図６（Ａ）は、第２の実施の形態を示すもので、この例では、後部縁２４の上部にクッション２６を装着し、クッション２６の上面を載置面２５としたものである。この場合、後部縁２４の素材や形状は、他の前部縁２２及び側部縁２３と同じ陶器製とし幅の小さなものとして実施した場合にあっても、クッション２６を陶器よりも柔らかい材質で形成することによって、施術者３２の二の腕３３を保護するものである。具体的には、軟質の合成樹脂や発泡ウレタン、ゲル、ゴム等の弾性を備えた素材とすることが好ましい。なお、図６（Ｂ）に示すように、第１の実施の形態の後部縁２４に、クッション２６を付加して実施することも好ましい。
【符号の説明】
【００１１】
１１  シャンプーボウル
１２  ボウル凹部
１３  排水口
１４  シャワーヘッド
１５  段部
１６  水栓ハンドル
１７  取付凸部
１８  ネックレスト芯部
１９  ネックレスト
２１  縁
２２  前部縁
２３  側部縁
２４  後部縁
２５  載置面
２６  クッション
３１  被施術者
３２  施術者
３３  二の腕
【図１】
0003171262.tif 000003
【図２】
0003171262.tif 000004
【図３】
0003171262.tif 000005
【図４】
0003171262.tif 000006
【図６】
0003171262.tif 000007
【図７】
0003171262.tif 000008
【図５】
0003171262.tif 000009